(57)【要約】【課題】購入商品の会計時に釣り銭の硬貨の受け渡しを低減可能とするＰＯＳ端末を提供する。【解決手段】現金とポイントカードに蓄積されたサービスポイントとを併用し、釣り銭として受け渡す硬貨の枚数が低減するように、購入商品の合計金額の端数の支払いに前記サービスポイントを充当する。客用表示器１０に、購入商品の合計金額を小計枠１１として表示し、利用可能なサービスポイントをサービスポイント表示枠１２として表示するとともに、利用可能なサービスポイントの範囲内で、釣り銭の硬貨の枚数が少なくなる合計金額の端数へのサービスポイントの充当方法の候補を会計選択肢として複数抽出して、会計処理選択肢枠１３として画面表示し、複数の会計選択肢の中からいずれかの会計選択肢の選択を顧客に促す。【選択図】        図２
2010267175.tif 000002
【特許請求の範囲】
【請求項１】
現金とサービスポイントとを併用して購入商品の会計処理を行うＰＯＳ端末であって、釣り銭として受け渡す硬貨の枚数が少なくなるように、購入商品の合計金額の端数の支払いに前記サービスポイントを充当することを特徴とするＰＯＳ端末。
【請求項２】
利用可能なサービスポイントの範囲内で、釣り銭の硬貨の枚数が少なくなる前記合計金額の端数への前記サービスポイントの充当方法の候補を会計選択肢として複数抽出して、客用表示器に画面表示し、複数の前記会計選択肢の中からいずれかの会計選択肢の選択を顧客に促すことを特徴とする請求項１に記載のＰＯＳ端末。
【請求項３】
前記客用表示器に、前記会計選択肢とともに、利用可能な前記サービスポイントのポイント数を画面表示することを特徴とする請求項２に記載のＰＯＳ端末。
【請求項４】
現金とサービスポイントとを併用して購入商品の会計処理を行うＰＯＳ端末における会計処理方法であって、釣り銭として受け渡す硬貨の枚数が少なくなるように、購入商品の合計金額の端数の支払いに前記サービスポイントを充当することを特徴とする会計処理方法。
【請求項５】
利用可能なサービスポイントの範囲内で、釣り銭の硬貨の枚数が少なくなる前記合計金額の端数への前記サービスポイントの充当方法の候補を会計選択肢として複数抽出して、客用表示器に画面表示し、複数の前記会計選択肢の中からいずれかの会計選択肢の選択を顧客に促すことを特徴とする請求項４に記載の会計処理方法。
【請求項６】
前記客用表示器に、前記会計選択肢とともに、利用可能な前記サービスポイントのポイント数を画面表示することを特徴とする請求項５に記載の会計処理方法。
【請求項７】
請求項４ないし６のいずれかに記載の会計処理方法を、コンピュータにより実行可能なプログラムとして実施していることを特徴とする会計処理プログラム。
【請求項８】
請求項７に記載の会計処理プログラムを、コンピュータにより読み取り可能な記録媒体に記録していることを特徴とするプログラム記録媒体。
【発明の詳細な説明】
【技術分野】
【０００１】
本発明は、ＰＯＳ端末、会計処理方法、会計処理プログラムおよびプログラム記録媒体に関し、特に、小売店や飲食店における会計時の端数の処理を電子的に実施することを可能とするＰＯＳ端末、会計処理方法、会計処理プログラムおよびプログラム記録媒体に関する。
【背景技術】
【０００２】
消費税の導入以降、小売店や飲食店等では、商品の販売価格に細かな桁位置までの設定がなされ、お釣り等で小銭が発生しているケースが増加している。特に、釣り銭の硬貨の個数が多くなると、店員は釣り銭の受け渡しにおいて硬貨の個数を間違えるということが起き易くなっている。
【０００３】
このため、特許文献１の特開２００３−１７８１９４号公報「釣り銭運用システム、釣り銭運用サーバ、釣り銭運用方法および釣り銭運用プログラム」においては、釣り銭と該釣り銭を受け取るべき者とに関するデータを釣り銭データとしてサーバに登録しておいて、ＰＯＳ端末等から投資を行う旨の指示が入力されると、投資運用事業者側のシステムにアクセスして、所定の投資処理を電子的に行うことによって、釣り銭を受け取ることなく、釣り銭に相当する電子データを用いて投資を行うという提案がなされている。
【先行技術文献】
【特許文献】
【０００４】
【特許文献１】特開２００３−１７８１９４号公報（第５−７頁）
【発明の概要】
【発明が解決しようとする課題】
【０００５】
しかしながら、前記特許文献１のように釣り銭を投資に当てるという対策は、投資に全く興味がない人にとっては適用することができず、一般性に欠け、広く適用することができる仕組みとはなっていない。
【０００６】
本発明は、かかる事情に鑑みてなされたものであり、会計時に、現金とポイントサービスとの併用を可能とすることにより、会計金額の端数をポイントサービスの処理対象とすることによって、釣り銭の硬貨の受け渡しを低減することを可能とするＰＯＳ端末、会計処理方法、会計処理プログラムおよびプログラム記録媒体を提供することに、その目的がある。
【課題を解決するための手段】
【０００７】
前述の課題を解決するため、本発明によるＰＯＳ端末、会計処理方法、会計処理プログラムおよびプログラム記録媒体は、次のような特徴的な構成を採用している。
【０００８】
（１）現金とサービスポイントとを併用して購入商品の会計処理を行うＰＯＳ端末であって、釣り銭として受け渡す硬貨の枚数が少なくなるように、購入商品の合計金額の端数の支払いに前記サービスポイントを充当するＰＯＳ端末。
【発明の効果】
【０００９】
本発明のＰＯＳ端末、会計処理方法、会計処理プログラムおよびプログラム記録媒体によれば、以下のような効果を奏することができる。
【００１０】
ＰＯＳ端末の現金による会計処理時に、現金とポイントカードのサービスポイントとを併用し、合計金額の端数の支払いにサービスポイントを充当させることによって、端数の精算時における釣り銭の硬貨の受け渡しを低減し、店員の手間や受け渡すべき釣り銭の誤りを減らすことができる。
【図面の簡単な説明】
【００１１】
【図１】本発明に係るＰＯＳ端末の装置構成の一例を示すブロック構成図である。
【図２】図１のＰＯＳ端末の客用表示器に画面表示される会計処理選択肢付きの画面の一例を示す模式図である。
【図３】図１のＰＯＳ端末の動作の一例を説明するためのフローチャートである。
【発明を実施するための形態】
【００１２】
以下、本発明によるＰＯＳ端末、会計処理方法、会計処理プログラムおよびプログラム記録媒体の好適な実施例について添付図を参照して説明する。なお、以下の説明においては、本発明によるＰＯＳ端末、会計処理方法について説明するが、かかる会計処理方法をコンピュータにより実行可能な会計処理プログラムとして実施するようにしても良いし、あるいは、会計処理プログラムをコンピュータにより読み取り可能な記録媒体に記録するようにしても良いことは言うまでもない。
【００１３】
（本発明の特徴）
本発明の実施形態の説明に先立って、本発明の特徴についてその概要をまず説明する。本発明は、ＰＯＳ端末の会計処理時に現金による決済を行う場合、現金とサービスポイントとの併用を可能とするとともに、サービスポイントによる合計金額の端数処理を電子的に行うことを可能とすることによって、釣り銭に硬貨が含まれる可能性を低減することを特徴としている。
【００１４】
つまり、ＰＯＳ端末において、購入品の代金を現金によって精算するとき、客用表示器に、サービスポイントによる端数の処理方法（逆に言えば現金の支払い方法）を顧客が選択することが可能な会計処理選択肢として表示し、顧客にいずれかを選択させることを可能とすることにより、選択された現金とサービスポイントとの併用による精算を行うことを特徴としている。
【００１５】
客用表示器に会計処理選択肢として表示するサービスポイントによる端数の処理方法（逆に言えば現金の支払い方法）については、顧客が提示したポイントカードに蓄積されているサービスポイントに応じて、適宜設定される。つまり、該ポイントカードに蓄積されている利用可能なサービスポイントの範囲内で、釣り銭の硬貨の枚数が少なくなる端数の処理方法を会計処理方法の候補として複数画面表示し、顧客に選択させる。
【００１６】
ここで、顧客が客用表示器に表示された会計処理選択肢の中からいずれかを選択する選択方法として、顧客自らが客用表示器のタッチパネルにタッチして選択しても良いし、顧客が店員に口頭で指示して店員に操作させるようにしても良い。
【００１７】
（本発明の実施形態）
図１は、本発明に係るＰＯＳ端末の装置構成の一例を示すブロック構成図である。本発明に係るＰＯＳ端末の装置構成は、図１に示すように、従来のＰＯＳ端末の装置構成と同様であり、制御部１、表示部２、操作部３、タッチパネル付きの客用表示器１０とから構成されている。ここで、本発明においては、制御部１の動作が従来のＰＯＳ端末の場合とは異なっており、会計処理時に、例えば図２に示すような会計処理選択肢付きの画面が客用表示器１０に表示される。
【００１８】
図２は、図１のＰＯＳ端末の客用表示器１０に画面表示される会計処理選択肢付きの画面の一例を示す模式図である。図２において、会計処理選択肢付きの画面は、会計合計額を示す小計枠１１、顧客が所持するポイントカードに蓄積されている利用可能なサービスポイント表示枠１２、会計処理の選択肢を示す会計処理選択肢枠１３からなっている。
【００１９】
図２の画面表示例においては、小計枠１１に示すように、顧客が支払うべき合計金額は４，８７４円であり、サービスポイント表示枠１２に示すように、顧客が所持するポイントカードの利用可能なサービスポイントは、４００Ｐ（ポイント）である。
【００２０】
例えば、かかる場合において、ＰＯＳ端末の制御部１の会計処理プログラムにより、釣り銭として受け渡す硬貨の枚数を低減することが可能なサービスポイントによる端数の処理方法（逆に言えば現金の支払い方法）を抽出して、会計選択肢として、会計処理選択肢枠１３に画面表示する。
【００２１】
図２の会計処理選択肢枠１３の表示例においては、次の４つの選択肢が表示される。
（１）現金４，８７０円、サービスポイント４Ｐ
（２）現金４，８００円、サービスポイント７４Ｐ
（３）現金４，５００円、サービスポイント３７４Ｐ
（４）現金４，８７４円、サービスポイントは使用しない
【００２２】
ここで、顧客が５，０００円の現金を支払う場合、会計選択肢（１）の場合は、釣り銭として、百円硬貨１枚、十円硬貨２枚、五円硬貨１枚の合計４枚の硬貨を受け渡すことになる。会計選択肢（２）の場合は、釣り銭として、百円硬貨２枚の硬貨を受け渡すことになる。会計選択肢（３）の場合は、釣り銭として、五百円硬貨１枚の硬貨を受け渡すことになる。サービスポイントを併用しない会計選択肢（４）の場合は、釣り銭として、百円硬貨１枚、十円硬貨２枚、五円硬貨１枚、一円硬貨２枚の合計５枚の硬貨となり、最も多くの硬貨を受け渡すことになる。
【００２３】
客用表示器１０に会計処理選択肢付きの画面が表示されることによって、顧客に対していずれかの会計選択肢の選択を促す。該画面表示を確認した顧客自らが、客用表示器１０に表示されているいずれかの会計選択肢上のタッチパネルにタッチするか、あるいは、店員にいずれかの会計選択肢の選択結果を口頭で伝達することにより店員によって選択操作が行われることによって、精算処理が実施される。
【００２４】
（実施形態の動作の説明）
次に、図１のＰＯＳ端末の動作について、図３のフローチャートを用いて、その一例を説明する。図３は、図１のＰＯＳ端末の動作の一例を説明するためのフローチャートであり、現金とポイントカードとの併用による会計処理の動作について示している。
【００２５】
図３のフローチャートにおいて、ＰＯＳ端末の店員は、顧客が購入した商品のバーコードをバーコードリーダにより読み取ったりすることにより、購入した商品を順次登録していき（ステップＳ１）、購入したすべての商品の登録が終了すると（ステップＳ２のＹＥＳ）、小計ボタンを操作する。この小計ボタンの操作により、ＰＯＳ端末は、購入商品の合計金額を算出して、図２に示すように、客用表示器１０の小計枠１１に表示する。
【００２６】
次に、店員は、顧客が所持するポイントカードの有無を顧客に確認し、ポイントカードを所持している場合は（ステップＳ３のＹＥＳ）、該ポイントカードをカードリーダから読み込み、当該ポイントカードに蓄積されているサービスポイントを読み取る。この読み込み操作を行うことにより、ＰＯＳ端末は、利用可能なサービスポイントを、図２に示すように、客用表示器１０のサービスポイント表示枠１２に画面表示する。一方、ポイントカードを所持していない場合は（ステップＳ３のＮＯ）、合計金額すべてを現金またはクレジットカード等で支払うものとしてステップＳ６に移行する。
【００２７】
ポイントカードのサービスポイントを読み取った場合、ＰＯＳ端末は、利用可能なサービスポイント数を把握することにより、利用可能なサービスポイント数の範囲内で、釣り銭の硬貨の枚数が少なくなる端数の処理方法を会計処理方法の候補として複数抽出して、図２に示すように、客用表示器１０の会計処理選択肢枠１３に画面表示し、顧客にいずれかの会計選択肢の選択を促す（ステップＳ４）。
【００２８】
会計処理選択肢枠１３に表示された会計選択肢のいずれかが選択されると（ステップＳ５）、選択した結果に基づいて、現金として支払う支払金額とサービスポイントを使用するポイント数とを、合計として客用表示器１０に表示する（ステップＳ６）。
【００２９】
客用表示器１０に表示された合計を顧客が確認した結果に基づいて、精算処理が実施されて（ステップＳ７）、すべての会計処理が終了する。
【００３０】
（実施形態の効果の説明）
ＰＯＳ端末における現金による会計処理時に、ポイントカードのサービスポイントも併用して、合計金額の端数処理のすべてまたは一部にポイントカードを充当することにより、店員が釣り銭として顧客に受け渡す硬貨の枚数を低減することが可能となり、釣り銭を受け渡す手間と、釣り銭を間違えることを低減することが可能である。
【００３１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）利用可能なサービスポイントの範囲内で、釣り銭の硬貨の枚数が少なくなる前記合計金額の端数への前記サービスポイントの充当方法の候補を会計選択肢として複数抽出して、客用表示器に画面表示し、複数の前記会計選択肢の中からいずれかの会計選択肢の選択を顧客に促す上記（１）のＰＯＳ端末。
（３）前記客用表示器に、前記会計選択肢とともに、利用可能な前記サービスポイントのポイント数を画面表示する上記（２）のＰＯＳ端末。
（４）現金とサービスポイントとを併用して購入商品の会計処理を行うＰＯＳ端末における会計処理方法であって、釣り銭として受け渡す硬貨の枚数が少なくなるように、購入商品の合計金額の端数の支払いに前記サービスポイントを充当する会計処理方法。
（５）利用可能なサービスポイントの範囲内で、釣り銭の硬貨の枚数が少なくなる前記合計金額の端数への前記サービスポイントの充当方法の候補を会計選択肢として複数抽出して、客用表示器に画面表示し、複数の前記会計選択肢の中からいずれかの会計選択肢の選択を顧客に促す上記（４）の会計処理方法。
（６）前記客用表示器に、前記会計選択肢とともに、利用可能な前記サービスポイントのポイント数を画面表示する上記（５）の会計処理方法。
（７）上記（４）ないし（６）のいずれかの会計処理方法を、コンピュータにより実行可能なプログラムとして実施している会計処理プログラム。
（８）上記（７）の会計処理プログラムを、コンピュータにより読み取り可能な記録媒体に記録しているプログラム記録媒体
【符号の説明】
【００３２】
１      制御部
２      表示部
３      操作部
１０    客用表示器
１１    小計枠
１２    サービスポイント表示枠
１３    会計処理選択肢枠
【図１】
2010267175.tif 000003
【図２】
2010267175.tif 000004
【図３】
2010267175.tif 000005